(57)【要約】【課題】鉄道貨物輸送にあって、床に載置した物品を確実に固定して安全に輸送することができる鉄道貨物輸送用収容体を提供する。【解決手段】貨物列車ｂにおける荷台ｂ１へ着脱自在に載置される鉄道貨物輸送用収容体Ａにあって、四方を囲繞させた側壁部材３ａ，３ｂ，３ｃ，３ｄと天井部材４および物品ｗを載置する底部材５とを有する箱状の外框体１と、物品を固着する固定手段２とを有し、外框体は、その平面形状が方形状を有していて、固定手段は、床部材において、周囲四辺における相対辺の近傍へそれぞれ設けた取付体１１と、この取付体へ間隔的に多数個を設けた係止孔１２と、この係止孔へ係脱自在に係止させて物品の外周部に係合する緊張体１３とを備えさせる。【選択図】    図１
2004196341.tif 000002
【特許請求の範囲】
【請求項１】
貨物列車における荷台へ着脱自在に載置される鉄道貨物輸送用収容体にあって、
四方を囲繞させた側壁部材と天井部材および物品を載置する底部材とを有する箱状の外框体と、前記物品を固着する固定手段とを有し、
前記外框体は、その平面形状が方形状を有していて、
前記固定手段は、前記床部材において、周囲四辺における相対辺の近傍へそれぞれ設けた取付体と、この取付体へ間隔的に多数個を設けた係止孔と、この係止孔へ係脱自在に係止させて前記物品の外周部に係合する緊張体とを備えさせ、
前記取付体は、前記床部材における床面より突出していないことを特徴とする鉄道貨物輸送用収容体。
【請求項２】
取付体の係止孔は、床部材における物品の非載置部に設けたことを特徴とする請求項１記載の鉄道貨物輸送用収容体。
【請求項３】
取付体は、床部材における長さ方向へ並行するように設けたことを特徴とする請求項１記載の鉄道貨物輸送用収容体。
【発明の詳細な説明】
【０００１】
【産業上の利用分野】
本発明は、鉄道貨物輸送にあって、床に載置した物品を確実に固定して、該物品を安全に輸送することができる鉄道貨物輸送用収容体に関する。
【０００２】
【従来の技術】
従来、鉄道貨物輸送用のコンテナには、図９に示すように、床面６０に埋め込み式の掛け金具６１が、例えば、８箇所設置されていて、荷物６２の固定に際しては、掛け金具６１に固定ベルト６３に係止させ、荷物６２へ掛け渡して該固定ベルト６３の緊締によりその固定を行っていた。
【０００３】
しかしながら、このコンテナにあっては、固定ベルト６３を取り付ける掛け金具６１が床面６０の内側に寄った位置に設けられているため、荷物の大きさやその載置位置によっては、前記掛け金具６１が荷物６２に隠れて該荷物６２を充分に固定することができない問題点があった。
【０００４】
【発明が解決しようとする課題】
本発明は、前記した問題点を解決するためになされたもので、貨物列車における荷台へ着脱自在に載置される鉄道貨物輸送用収容体にあって、四方を囲繞させた側壁部材と天井部材および物品を載置する底部材とを有する箱状の外框体と、前記物品を固着する固定手段とを有し、外框体は、その平面形状が方形状を有していて、固定手段は、床部材において、周囲四辺における相対辺の近傍へそれぞれ設けた取付体と、この取付体へ間隔的に多数個を設けた係止孔と、この係止孔へ係脱自在に係止させて物品の外周部に係合する緊張体とを備えさせることにより、鉄道貨物輸送にあって、床に載置した物品を確実に固定して安全に輸送することができる鉄道貨物輸送用収容体を提供することを目的としている。
【０００５】
【課題を解決するための手段】
前記した目的を達成するための本発明の手段は、
貨物列車における荷台へ着脱自在に載置される鉄道貨物輸送用収容体にあって、
四方を囲繞させた側壁部材と天井部材および物品を載置する底部材とを有する箱状の外框体と、前記物品を固着する固定手段とを有し、
前記外框体は、その平面形状が方形状を有していて、
前記固定手段は、前記床部材において、周囲四辺における相対辺の近傍へそれぞれ設けた取付体と、この取付体へ間隔的に多数個を設けた係止孔と、この係止孔へ係脱自在に係止させて前記物品の外周部に係合する緊張体とを備えさせ、
前記取付体は、前記床部材における床面より突出していない鉄道貨物輸送用収容体の構成にある。
【０００６】
また、
取付体の係止孔は、床部材における物品の非載置部に設ける。
【０００７】
更に、
取付体は、床部材における長さ方向へ並行するように設ける。
【０００８】
【実施例】
次に、本発明に関する鉄道貨物輸送用収容体の一実施例を図面に基づいて説明する。
図１〜図２および図６においてＡは、図６に示すような貨物列車ｂにおける荷台ｂ１へ着脱自在に載置される鉄道貨物輸送用収容体であって、外框体１と、固定手段２とにより基本的に構成される。
【０００９】
そして、前記した外框体１は、四方を囲繞させた側壁部材３ａ，３ｂ，３ｃ，３ｄ（このうちの一または二側壁部材は物品ｗの出し入れを行う扉体を兼用する。）と天井部材４および物品ｗを載置する底部材５とを有する箱状に形成させてあって、内部には所定の容積を有する物品ｗが載置される空洞部６を設けてある。
【００１０】
また、この外框体１は、その平面形状が、図２に示すように、方形状を有していて、正方形や長方形に構成される。
【００１１】
更に、この外框体１の下側にあっては、側壁部材３ａ，３ｂ，３ｃ，３ｄの下部および底部材５の下側を支承する支持体７が設けられ、貨物列車ｂにおける荷台ｂ１上へ止め手段８により固着されるもので、その最下側部において荷台ｂ１上面に当接する当接体９を有する。
更に、この支持体７の適所には、フォークリフト等のフォークが係脱自在となる穴状の係止体（フォークポケット）１０を複数箇所に設けてある。
【００１２】
前記した固定手段２は、外框体１における床部材５において、周囲四辺における相対辺の近傍へそれぞれ設けた取付体１１と、この取付体１１へ間隔的に多数個を設けた係止孔１２と、この係止孔１２へ係脱自在に係止させて物品ｗの外周部に係合する緊張体１３とを備える。
【００１３】
そして、前記した取付体１１は、床部材５の外周縁部に取り付けられ、この部分は物品ｗが載置されない箇所（非載置部）であり、したがって、物品ｗが載置されたとき、全く該物品ｗに対して接触しない箇所にある。
その構成は、外框体１における床部材５の一辺と略同長に形成してあって、長さ方向を横断する部分において、図５において拡大部ｐに示すように、水平片１１ａと、この水平片１１ａの両側において、下方へ略垂直に折曲する縦片１１ｂ，１１ｃによりチャンネル状に構成されている。
【００１４】
また、該取付体１１の上面は、図３〜図５に示すように、床部材５における床面より突出しないように取り付けられている。すなわち、この取付体１１の上面が床部材５における床面と略同一あるいは若干低く設けられているため、物品ｗの搬入出に際して、該取付体１１が邪魔になったり引っ掛かったりする不都合がない。
更には、この取付体１１は、外框体１における側壁部材３ａ，３ｂ，３ｃ，３ｄのうちの物品ｗの出し入れを行う扉体側に設けておけば、この取付体１１部にあって、該扉体が開放状態となって、後記する係止孔１２に対する緊張体１３の係脱操作が容易となる。
【００１５】
また、該取付体１１は、床部材５における長さ方向へ並行するように設ける、すなわち、床部材５の平面形状が長方形の場合には、その長辺側の一側または両側に扉体が取り付けられ、貨物列車ｂにおける荷台ｂ１へ本発明実施例の鉄道貨物輸送用収容体Ａが載置されたとき、固定手段２による荷台ｂ１の外部からの物品ｗの固定および固定解除を行えて、しかも、外框体１の外周側において前記作業が行えて操作性が良好となる。
【００１６】
前記した係止孔１２は、取付体１１の長さ方向に対して間隔的に、例えば、約２００ｍｍピッチに多数個が設けられている。
この取付体１１の係止孔１２は、床部材５における物品ｗの非載置部に設けられているもので、すなわち、取付体１１が、床部材５の外周縁部に取り付けられていて、物品ｗが載置されない箇所に設けられるので、床部材５に載置した物品ｗの緊締操作に支障を来さない。
【００１７】
前記した緊張体１３は、図７等に示すように、少なくとも物品ｗの外周部に見合う長さを有するベルト体１４と、このベルト体の両端部に設けられた係止金具１５ａ，１５ｂと、ベルト体１４の長さを調整する、すなわち、該ベルト体１４をそのレバーの回動運動により引っ張って緊張状態にさせる調整体１６とからなる。
【００１８】
なお、前記した係止金具１５ａ，１５ｂは、係止孔１２へ係止させたとき、容易に離脱しない形状と所定強度を有しているもので、その構成は特に限定されないが、例えば、図８に示すように、係止孔１２の周縁部に係合する切り欠き１６，１６と、係止孔１２したときの離脱防止用のストッパー１７とを設けたものが採用し得る。
【００１９】
したがって、前記のように構成される本発明に係る実施例の鉄道貨物輸送用収容体Ａは、以下に述べる作用を奏する。
該鉄道貨物輸送用収容体Ａにおける空洞部６内において、図１および図２に示すように、その床部材５上には、パレット２０を介して物品ｗが据え付けられているもので、該物品ｗは固定手段２により床部材５へ固定されている。
【００２０】
すなわち、固定手段２における緊張体１３のベルト体１４の一方の係止金具１５ａを、外框体１における床部材５において、周囲四辺における相対辺の近傍へ取り付けた一方の取付体１１の係止孔１２へ係合させて離脱しない状態に保持させ、ベルト体１４を物品ｗの高さ方向においてその一側部から物品外周部へ掛け渡す。
更に、この物品ｗの他側部において、床部材５の外周縁部に設けた他方の取付体１１の係止孔１２へ、ベルト体１４の他方の係止金具１５ｂを容易に離脱しないように係合させる。
【００２１】
この状態で、ベルト体１４の適所に設けた調整体１６を操作して、該ベルト体１４を物品ｗを挟んだその一方および他方の両側に設けられた取付体１１，１１の間において引っ張ると、このベルト体１４は次第に緊張して（短くなって）物品ｗの外周面へ密着し、更には、この物品ｗを床部材５面へ所定圧で押し付けるので、該床部材５に対して物品ｗが固定される。
【００２２】
貨物列車ｂにおける荷台ｂ１へ載置された鉄道貨物輸送用収容体Ａは、該貨物列車ｂの走行に伴って発生する振動等が物品ｗに掛かっても、該物品ｗは固定手段２によって確実に外框体１の床部材５へ固定され、荷崩れ等に起因する物品ｗの損傷を未然に防止する。
【００２３】
特に、固定手段２における取付体１１は、床部材５の外周縁部に取り付けられていて、該取付体１１上には物品ｗが載置されない箇所であるため、物品固定に際して邪魔にならないと共に、該物品ｗの大小にかかわらず、床部材５上に載置し得る物品ｗの大きさであればこれらを確実に固定させることができる。
【００２４】
なお、物品ｗの床部材５からの固縛後のその解除にあっては、緊張体１３の調整体１６を操作してベルト体１４の緊締をゆるめ、一対の取付体１１，１１に係合させた係止金具１５ａ，１５ｂを、そのストッパー１６の解除と共に係止孔１２，１２から外せば、緊張体１３は物品ｗから自由となって、物品ｗの外部への搬出が可能となる。
【００２５】
【発明の効果】
前述のように構成される本発明は、床部材上への物品載置に支障のない床部材外周縁部に取付体が設けられているため、大きな物品の載置に際して、緊張体の取り付け取り外しに邪魔にならず、そのため、物品寸法の大小にかかわらず、自由にその固定操作に対応することができる。
【図面の簡単な説明】
【図１】本発明に関する鉄道貨物輸送用収容体の一実施例を一側の側壁部材を外して示す正面図である。
【図２】図１における鉄道貨物輸送用収容体の要部を示す平面図である。
【図３】図１における鉄道貨物輸送用収容体の床部材部を示す断面図である。
【図４】図３における鉄道貨物輸送用収容体の床部材部の更に詳細に示した要部の断面図である。
【図５】図３における鉄道貨物輸送用収容体の床部材部を示す斜視図である。
【図６】図１における鉄道貨物輸送用収容体の貨物列車への取付状態を示す説明図である。
【図７】図１における鉄道貨物輸送用収容体の緊張体の一例を示す説明図である。
【図８】図７における鉄道貨物輸送用収容体の緊張体の係止金具部を示す斜視図である。
【図９】従来の鉄道貨物輸送用コンテナにおける荷物の固定例を示す斜視図である。
【符号の説明】
Ａ…鉄道貨物輸送用収容体．ｂ…貨物列車．ｂ１…荷台．ｗ…物品．１…外框体．２…固定手段．３ａ，３ｂ，３ｃ，３ｄ…側壁部材．４…天井部材．５…床部材．１１…取付体．１２…係止孔．１３…緊張体．
【図１】
2004196341.tif 000003
【図２】
2004196341.tif 000004
【図３】
2004196341.tif 000005
【図４】
2004196341.tif 000006
【図５】
2004196341.tif 000007
【図６】
2004196341.tif 000008
【図７】
2004196341.tif 000009
【図８】
2004196341.tif 000010
【図９】
2004196341.tif 000011